(57)【要約】【課題】本発明は、容積式圧縮機内の弁組立体用の配置の技術分野に属する。  現在のところ、ベーン型弁が通常開かれている初期状態を維持することは、獲得することが困難である。弁自体がプレテンションをかけられるか、または弁の組立構造体が垂直スペーサを含む必要がある。【解決手段】少なくとも１つの着座面と、少なくとも１つの封止面とを備えるベーン型弁組立体用の構造体が開示されており、両者は互いから角度的にずれており、すなわち、着座面は第１の角度αで画定され、封止面は第２の角度で画定される。【選択図】図２
2019002399.tif 000002
【特許請求の範囲】
【請求項１】
少なくとも１つの着座面（１１）と、少なくとも１つの封止面（１２）とを含むベーン型弁組立体用の構造体であって、特に、着座面（１１）および封止面（１２）が、互いから角度的にずれていることを特徴とする、構造体。
【請求項２】
着座面（１１）が第１の角度（α）で画定され、
封止面（１２）が第２の角度（β）で画定される
ことを特徴とする、請求項１に記載の構造体。
【請求項３】
着座面（１１）が、封止面（１２）から形成された傾斜した底部を有する空洞を含むことを特徴とする、請求項１に記載の構造体。
【請求項４】
遷移点（１３）と封止面（１２）とが同一平面上にあることを特徴とする、請求項１に記載の構造体。
【請求項５】
封止面（１２）上に配置された、少なくとも１つの同一平面のスペーサ要素（４）をさらに備えることを特徴とする、請求項１に記載の構造体。
【請求項６】
弁板を備えることを特徴とする、請求項１に記載の構造体。
【請求項７】
音響フィルタの壁を含むことを特徴とする、請求項１に記載の構造体。
【発明の詳細な説明】
【技術分野】
【０００１】
本発明は、容積式圧縮機内のベーン型弁組立体用の構造体に関し、より詳細には、ベーン型弁の静止端部を着座させ、および／または固定するための基部を含む構造体に関する。本発明の一般的な目的は、ベーン型弁の初期状態を決定することができる簡単な手段を提供することである。
【背景技術】
【０００２】
当業者に知られているように、往復式圧縮機としても知られている容積式圧縮機は、典型的には、作動流体の吸入および吐出の制御機構を含む流体圧縮システムを含む。一般論として、そのような制御機構は、作動流体が圧縮シリンダに入る、または圧縮シリンダから出る穴を閉鎖する／開くことができる少なくとも１つの吸入弁、および少なくとも１つの吐出弁から基本的に構成される。
【０００３】
場合によっては、容積式圧縮機の一部を構成する他の構成要素または機構において、類似の機能、または均等な機能を果たすために、吸入弁または吐出弁がやはり応用され得る。例えば、容積式圧縮機の一部を構成する音響フィルタ内に吸入弁または吐出弁が使用され得る技術的解決法が知られている。
【０００４】
容積式圧縮機内で使用され得る公知の異なる型の弁が存在するが、本発明の核心によれば、ベーン型弁を考慮することが特に重要である。簡潔に言えば、ベーン型弁は、可撓性金属ブレードによって形成される。一般論として、ベーン型弁は、圧縮機構造体に固定式に着座および／または固定され得る、実質的な静止端部と、作動流体が流れる１つまたは複数の穴を閉鎖し／開くことができる動的端部とを備える。
【０００５】
ベーン型弁、特に容積式圧縮機内の吸入弁または吐出弁として使用される弁は、当業者によく知られている。包括的に、ベーン型弁の幾何学的態様において通常可変である無数のモデルが、現状の技術水準に属する。
【０００６】
容積式圧縮機内のベーン型弁の大部分の応用では、その作動穴に対する前記弁の初期状態は通常閉鎖されていることが一般的であり、すなわち、要素または刺激がない場合には、封止／閉鎖された状態にその作動穴を維持するために、任意の構造体内に弁が取り付けられていることが一般的である。
【０００７】
図１Ａは、ベーン型弁Ｂが、穴Ｃに関して、通常は閉鎖されている初期状態を有する自明な状況を概略的かつ簡略化した方式で示している。この例示では、ベーン型弁Ｂは構造体Ａに固定され、その静止端部Ｂ１は、穿孔された固定要素Ｃによって構造体Ａの平面Ａ１に固定され、その動的端部Ｂ２は、構造体Ａの平面Ａ２で穴Ｃ上に着座する。構造体Ａの平面Ａ１と平面Ａ２とは水平に均等であり、すなわち、それらは同じ水平レベル上に画定されていることが観察される。
【０００８】
加えて、当業者にはよく知られているように、ベーン型弁が、通常開かれているその初期状態を有する場合には、特定の用途が有効であることが知られている。例えば、圧縮機モータの始動トルクを低下させるために、容積式圧縮機の始動瞬時に吸入弁を開かれた状態に維持したい場合が挙げられる。
【０００９】
一般論として、初期状態で開かれているベーン型弁を獲得する２つの構成的可能性が知られている。そのような構成的可能性は、図１Ｂおよび図１Ｃに概略的かつ簡略化した方式で示されている。
【００１０】
図１Ｂに示されている構成的可能性は、従来の構造体Ａと、プレテンションがかけられたベーン型弁Ｂとを含む。機械的スタンピング工程によって通常得られる前記プレテンションがかけられたベーン型弁Ｂは、静止端部Ｂ１と動的端部Ｂ２との間に高さの差が存在するように変形される。したがって、プレテンションがかけられたベーン型弁Ｂの静止端部Ｂ１は、構造体Ａの平面Ａ１と同一平面上に固定されているが、その動的端部Ｂ２は、構造体Ａの穴Ｃおよび平面Ａ２から必然的に離隔配置されている。構造体Ａの平面Ａ１および平面Ａ２は、水平に均等であり、すなわち、それらは同じ水平レベルで画定されていることが観察される。すなわち、ベーン型弁は、プレテンションがかけられた形態で作製される場合、通常開かれた初期状態で作動することができる。しかしながら、この構成的可能性は、通常、塑性変形に基づくので、特に油圧プレスノックによって画定されるプレテンション点Ｂ３で、弁の耐用年数を短縮する傾向がある。
【００１１】
図１Ｂに示される構成的可能性のさらなる例は、特許文献、国際公開第２０１５／１１３１２７号パンフレットの中で確認され得る。
【００１２】
図１Ｃに示されている構成的可能性は、従来のベーン型弁Ｂと、平面Ａ１とＡ２との間に突起Ａ３を含む修正された構造体Ａとを含む。したがって、構造体Ａの平面Ａ１およびＡ２は互いに水平に均等であり、突起Ａ３は、平面Ａ１およびＡ２と同一平面上であるが隆起した面に存在することが観察される。したがって、ベーン型弁Ｂの全範囲が構造体Ａに対して同一平面上に配置されているが、その動的端部Ｂ２は、構造体Ａの穴Ｃおよび平面Ａ２から必然的に離隔配置されている。すなわち、ベーン型弁は、取り付けられている構造体（通常、必須ではないが、金属弁板）が垂直スペーサを含む場合には、初期状態で通常開いた状態で作動することができる。しかしながら、この構成的可能性は、困難な封止の問題を提示する。
【００１３】
図１Ｃに示す構成的可能性のさらなる例は、特許文献、国際公開第２００５／０３３５１０号パンフレットの中で確認され得る。
【００１４】
次に、やがて公表される概要に基づいて、本発明が生まれる。
【先行技術文献】
【特許文献】
【００１５】
【特許文献１】国際公開第２０１５／１１３１２７号
【特許文献２】国際公開第２００５／０３３５１０号
【発明の概要】
【発明が解決しようとする課題】
【００１６】
したがって、本発明の第１の目的は、弁の中に変形を実施する必要がなく、その製造工程に関して簡単な形態で、初期状態でベーン型弁を通常開かれた状態に維持することができる容積式圧縮機のベーン型弁組立体用の構造体を提供することである。
【００１７】
本発明の追加の目的は、容積式圧縮機内のベーン型弁組立体用のあらゆる構造体に応用の可能性を広げる発明の核心を開示することである。
【００１８】
より具体的には、本発明の目的は、その応用の可能性が、容積式圧縮機内で使用される音響フィルタの内部ポリマー壁のような、容積式圧縮機内のベーン型弁組立体用のポリマー構造を達成する、発明の核心を開示することである。
【課題を解決するための手段】
【００１９】
上述で要約された目的は、少なくとも１つの着座面（ベーン型弁の静止端部用）と少なくとも１つの封止面（ベーン型弁の動的端部用）とを含む、ベーン型弁組立体用の構造体によって完全に達成され、その構造体では、着座面と封止面とが互いから角度的にずれている。
【００２０】
すなわち、本発明によれば、ベーン型弁組立体用の構造体の着座面は、第１の角度αで画定され、ベーン型弁組立体用の構造体の封止面は、第２の角度βで画定される。
【００２１】
ここで本発明が、以下に列挙する図面に基づいて詳細に説明される。
【図面の簡単な説明】
【００２２】
【図１Ａ】現在の技術水準によって、本明細書で扱われる技術分野に向けられた解決策の構成的実施形態を示す図である。
【図１Ｂ】現在の技術水準によって、本明細書で扱われる技術分野に向けられた解決策の構成的実施形態を示す図である。
【図１Ｃ】現在の技術水準によって、本明細書で扱われる技術分野に向けられた解決策の構成的実施形態を示す図である。
【図２】本発明の好ましい実施形態による、ベーン型弁組立体用の構造体を示す図である。
【図３】ベーン型弁を含むベーン型弁組立体用の構造体の分解図である。
【図４】組み立てられた形態で、開かれている自然状態のベーン型弁を有するベーン型弁組立体用の構造体を示す図である。
【図５】組み立てられた形態で、閉鎖されている機能的な自然状態のベーン型弁を有するベーン型弁組立体用の構造体を示す図である。
【図６】ベーン型弁組立体用の構造体の第１の選択的な実施形態を示す図である。
【図７】ベーン型弁組立体用の構造体の第２の選択的な実施形態を示す図である。
【図８】ベーン型弁組立体用の構造体の第３の選択的な実施形態を示す図である。
【発明を実施するための形態】
【００２３】
本発明の主な目的によって、初期状態でベーン型弁を通常開かれた状態に維持することができるベーン型弁組立体用の構造体が開示されており、前記ベーン型弁は、プレテンションがかけられた形態にされる必要がない。
【００２４】
これに関して、前記ベーン型弁２は完全に従来の弁であり、すなわち静止端部２１（特に固定に関して、弁を固定することに貢献する）と、動的端部２２（特に外部刺激の作用として、移動することに貢献する）とを備えており、前記端部２１および２２は末端で対向していることを強調されるべきである。
【００２５】
本発明の一般的な目的によれば、従来のものであっても、前記ベーン型弁２は、基本的に、着座面１１（特にベーン型弁２の静止端部２１を受けるように適合されている）、および封止面１２（作動穴１４を含み、特に、ベーン型弁２の動的端部２２と協働するように特に適合されている）を含む構造体１によって、初期状態で通常開かれた状態に維持されており、着座面１１および封止面１２は、互いから角度的にずれている。
【００２６】
より詳細には、図２に示すように、着座面１１は第１の角度αで画定され、封止面１２は第２の角度βで画定され、前記面の間の角度差は９０°より大きく、１８０°未満である。
【００２７】
ベーン型弁２の静止端部２１が構造体１の着座面１１に固定されていることを考慮すると（図３に示す従来の固定構成要素３によって）、ベーン型弁２の動的端部２２と構造体１の穴１４との間のスペースは、図４に示すように着座面１１の角度によって直接画定される。
【００２８】
このように、ベーン型弁２は、物理的な機械的傷（図１Ｂに例示されているように）を被る必要がなく、かつ構造体自体が垂直スペーサを用いて作製される必要がなく（図１Ｃに例示されるように）、初期状態で通常開かれた状態に維持される。
【００２９】
図５に示すように、ベーン型弁２の動的端部２２は、閉鎖される場合、構造体１の遷移点１３近傍に画定される変形点を有する。構造体１の前記遷移点１３は、構造体１の着座面１１と封止面１２との間の境界点を含む。これに関して、構造体１の遷移点１３（および結果的に、面１１および１２の垂直線延長部）は、ベーン型弁２の可撓性などの設計の一般的な必要性にしたがって画定され得ることが確認される。
【００３０】
好ましくは、図２、図３および図４に示すように、遷移点１３および封止面１２は同一平面上にあることが確認される。しかしながら、この条件は義務ではなく、結局は、図８に示すように、封止面１２が遷移点１３に対して傾斜していてもよく、すなわち遷移点１３と封止面１２とは異なる水平面に画定される。
【００３１】
工場の視点から、構造体１は簡単な形態で製造可能であり、結局、着座面１１は、機械的スタンピング、機械加工または熱成形法によって制御された方法で獲得され得る。図７に示すように、着座面１１は、封止面１２から形成された傾斜した底部を有する空洞を含むことができる。
【００３２】
図６に示すように、構造体１は、好ましくは穴１４の周りの封止面１２上に、同一平面のスペーサ要素４を受けることができ、これにより、ベーン型弁２の動的端部２２と構造体１の穴１４との間の封止を最適化することができる。
【００３３】
上述で説明されているように、本発明によれば、構造体１は、弁板（添付の図面を参照）を備えることができ、または音響フィルタの壁（特に図示されない実施形態だが、簡単な直観によるもの）を備えていてもよい。
【００３４】
重要なことは、上述の説明が、例示的な方法で、問題の実用新案の特定の実施形態を説明するという唯一の目的を有することである。したがって、同一の機能を果たす要素の、同じ結果を達成するために実質的に同じ方法の修正形態、変形形態、および構成的な組み合わせが、添付の特許請求の範囲によって定義される保護の範囲内にあることは明らかである。
【符号の説明】
【００３５】
１  構造体
２  ベーン型弁
３  固定構成要素
４  スペーサ要素
１１  着座面
１２  封止面
１３  遷移点
１４  作動穴
２１  静止端部
２２  動的端部
Ａ  構造体
Ａ１、Ａ２  平面
Ａ３  突起
Ｂ  ベーン型弁
Ｂ１  静止端部
Ｂ２  動的端部
Ｂ３  プレテンション点
Ｃ  穴
α  第１の角度
β  第２の角度
【図１Ａ】
2019002399.tif 000003
【図１Ｂ】
2019002399.tif 000004
【図１Ｃ】
2019002399.tif 000005
【図２】
2019002399.tif 000006
【図３】
2019002399.tif 000007
【図４】
2019002399.tif 000008
【図５】
2019002399.tif 000009
【図６】
2019002399.tif 000010
【図７】
2019002399.tif 000011
【図８】
2019002399.tif 000012
【外国語明細書】
2019002399000001.pdf